(57)【要約】【課題】ＩＣカードのＩＣチップや振込カードの磁気ストライプに振込先の口座が存在する振込先情報だけを記憶させ、顧客の利便性を向上させる。【解決手段】自動取引装置１の制御部１６の振込先情報確認手段が、振込カードまたはＩＣカードから読取った振込先情報で特定される口座の存否を勘定系ホストコンピュータ２へ問い合わせて振込先口座の存在が確認できたとき、カードリーダライタ部１２が、振込カードから読取った振込先情報をＩＣカードに記録し、またはＩＣカードから読取った振込先情報を振込カードに記録するようにした。【選択図】        図１
2008052485.tif 000002
【特許請求の範囲】
【請求項１】
顧客の操作を受け付けるとともに上位装置の許可を受信して取引を行う自動取引装置において、
磁気ストライプを有する振込カードならびにＩＣチップを有するＩＣカードに記録された情報を読取る読取り機構および振込カードならびにＩＣカードに情報を記録する書き込み機構を備えたカードリーダライタ部と、
振込先金融機関、支店、口座番号等の振込先情報で特定される口座の存否の確認を依頼する電文を上位装置へ送信し、その確認の結果を受信して該振込先情報が有効であることを確認する振込先情報確認手段とを設け、
前記振込先情報確認手段が、前記カードリーダライタ部で振込カードまたはＩＣカードから読取った振込先情報が有効であることを確認したとき、前記カードリーダライタ部が、振込カードから読取った該振込先情報をＩＣカードに記録し、またはＩＣカードから読取った該振込先情報を振込カードに記録するようにしたことを特徴とする自動取引装置。
【請求項２】
請求項１の自動取引装置において、
新たな振込カードを発行する振込カード発行機構を、前記カードリーダライタ部に設け、
前記振込先情報確認手段が、前記カードリーダライタ部でＩＣカードから読取った振込先情報が有効であることを確認したとき、前記カードリーダライタ部が、ＩＣカードから読取った該振込先情報を新たな振込カードに記録し、顧客に発行するようにしたことを特徴とする自動取引装置。
【請求項３】
請求項１または請求項２の自動取引装置において、
前記カードリーダライタ部でＩＣカードから読取る振込先情報を、該ＩＣカードに記録された振込取引の履歴情報に含まれる振込先情報としたことを特徴とする自動取引装置。
【発明の詳細な説明】
【技術分野】
【０００１】
本発明は、銀行等の金融機関に設置され、顧客の操作を受け付けて現金の入金や出金、振込み等の取引を行なう自動取引装置、特に振込先の口座番号等の振込先情報をカードに記憶させる取引を行なう自動取引装置に関する。
【背景技術】
【０００２】
従来の自動取引装置は、顧客の操作により振込先の銀行名、支店名、科目、口座番号、氏名、電話番号等の振込先情報の入力を操作部で受付け、その入力された振込先情報で特定された口座に現金を振り込む振込取引を行うようにしているが、その入力操作を簡略化するため、カードリーダライタ部で振込カードと呼ばれるカードの磁気ストライプに振込先情報を記録しておき、その振込カードから読取った振込先情報に基づいて振込取引を行うようにしている。
【０００３】
このように煩雑な入力操作が必要な振込先情報を振込カードの磁気ストライプに記憶させるようにしても、その磁気ストライプの記憶容量が小さいため、振込先情報は１件もしくは数件程度しか記憶させることができず、顧客が多数の振込先に振込を行う場合は複数枚の振込カードを所持する必要があるという問題に鑑み、その複数枚の振込カードに記憶された振込先情報を記憶容量が大きい１枚のＩＣカードのＩＣチップに記憶させるようにしているものがある（例えば、特許文献１参照）。
【特許文献１】特開平６−１０３４４０号公報（段落「００１８」〜段落「００１９」、図４）
【発明の開示】
【発明が解決しようとする課題】
【０００４】
しかしながら、自動取引装置のカードリーダライタ部で振込カードから読取った振込先情報をＩＣカードのＩＣチップに記憶させるようにし、そのＩＣチップから読取った振込先情報で特定される口座に振り込むようにしても、その振込先の口座が金融機関の合併や支店の統合等により口座番号等が変更されている場合があり、顧客はその振込先に現金を振り込む振込取引を行ったときに初めて口座番号等が変更されていることを知り、変更された後の振込先の口座番号等を調査して再度振込取引を行う必要があるという問題がある。
【０００５】
本発明は、このような問題を解決することを課題とする。
【課題を解決するための手段】
【０００６】
そのため、本発明は、顧客の操作を受け付けるとともに上位装置の許可を受信して取引を行う自動取引装置において、磁気ストライプを有する振込カードならびにＩＣチップを有するＩＣカードに記録された情報を読取る読取り機構および振込カードならびにＩＣカードに情報を記録する書き込み機構を備えたカードリーダライタ部と、振込先金融機関、支店、口座番号等の振込先情報で特定される口座の存否の確認を依頼する電文を上位装置へ送信し、その確認の結果を受信して該振込先情報が有効であることを確認する振込先情報確認手段とを設け、前記振込先情報確認手段が、前記カードリーダライタ部で振込カードまたはＩＣカードから読取った振込先情報が有効であることを確認したとき、前記カードリーダライタ部が、振込カードから読取った該振込先情報をＩＣカードに記録し、またはＩＣカードから読取った該振込先情報を振込カードに記録するようにしたことを特徴とする。
【発明の効果】
【０００７】
このようにした本発明は、ＩＣカードのＩＣチップや振込カードの磁気ストライプに振込先の口座が存在する振込先情報だけを記憶させることができ、顧客の利便性を向上させることができるという効果が得られる。
【発明を実施するための最良の形態】
【０００８】
以下、図面を参照して本発明による自動取引装置の実施例を説明する。
【実施例】
【０００９】
図１は実施例における自動取引装置の構成を示すブロック図である。
図１において、１は自動取引装置であり、銀行等の金融機関の店舗またはコンビニエンスストア等の店舗等に設置されるものである。この自動取引装置１は、通信回線３に通信可能に接続され、顧客の操作により顧客の口座番号等の口座情報が記録（記憶）された磁気ストライプやＩＣチップ付きのキャッシュカード等（以下、ＩＣチップ付きのキャッシュカードを「ＩＣキャッシュカード」または「ＩＣカード」という。）の挿入を受付けて現金引出しや預け入れ取引、また振込先の金融機関、支店、口座番号等の振込先情報が記録（記憶）された磁気ストライプ付きの振込カードやＩＣキャッシュカード等の挿入を受付けて振込み取引、さらにＩＣキャッシュカードの挿入を受け付けて振込先情報を記録した振込カードの発行等を行うＩＣカード取引等の取引を行うものである。
【００１０】
２は勘定系ホストコンピュータであり、銀行等の金融機関の事務センタ等に設置される自動取引装置１の上位装置である。この勘定系ホストコンピュータ２はＣＰＵ（Ｃｅｎｔｒａｌ  Ｐｒｏｃｅｓｓｉｎｇ  Ｕｎｉｔ）、ＭＰＵ（Ｍｉｃｒｏ  Ｐｒｏｃｅｓｓｉｎｇ  Ｕｎｉｔ）等の演算および制御手段である制御部、磁気ディスク、半導体メモリ等の記憶手段である記憶部および通信手段である通信部等を備えるものであり、通信回線３を介して自動取引装置１等と相互に通信可能に接続されている。
【００１１】
また、この勘定系ホストコンピュータ２は自動取引装置１との間で現金引出し、現金入金、振込み等の取引電文の送受信を行い顧客の取引を成立させるか否かを判断するとともにその取引の処理を行う。
さらに、勘定系ホストコンピュータ２は顧客の口座番号等の口座情報に関連付けて暗証番号および口座残高等の口座に関する情報を格納する図示しない顧客データベースを備えている。この顧客データベースに格納される口座情報は顧客が所持するキャッシュカードに記録された口座情報と同一のものであり、このキャッシュカードから読取った口座情報を自動取引装置１から受信した勘定系ホストコンピュータ２は、その口座情報に基づいて顧客データベースを検索して暗証番号や口座残高等を抽出することができる。
【００１２】
自動取引装置１は挿入されたキャッシュカードから読取った顧客の口座情報、および顧客の操作により入力された暗証番号を勘定系ホストコンピュータ２へ送信し、勘定系ホストコンピュータ２は受信した暗証番号と受信した口座情報に基づいて顧客データベースから抽出した暗証番号とを照合して本人認証を行なう。
なお、本実施例では暗証番号を使用した本人認証を行なうものとして説明するが、暗証番号に変えて手のひらや指先の静脈パターン、指紋、虹彩等の生体情報であってもよい。
【００１３】
１１は顧客操作表示部であり、タッチパネル等の操作部および液晶ディスプレイ等の表示部で構成されたものである。この顧客操作表示部１１はＣＲＴディスプレイや液晶ディスプレイ等の表示部上にタッチパネルを配置し顧客が入力操作等を行なうものであり、また、取引選択画面、顧客が選択した取引に対して顧客の入力操作等の誘導を行なう画面および入力された情報等を表示するものである。
【００１４】
１２はカードリーダライタ部であり、カード読取り書込み機構、および振込カード発行機構を備えたものである。このカードリーダライタ部１２は、カード読取り書込み機構により顧客の操作によりカード挿入口から挿入されたキャッシュカードや振込カードの磁気ストライプやＩＣキャッシュカードのＩＣチップに記録された情報を読取ることができ、また情報を書き込むことができ、さらに振込カード発行機構により、カードスタッカに収納された新たな振込カードの磁気ストライプ等に情報を書き込み、その振込カードをカード排出口から排出して顧客に発行することができるものである。
【００１５】
またさらに、このカードリーダライタ部１２は１枚目のカードの挿入を受け付けた後、その１枚目のカードを顧客に返却する前に２枚目のカードの挿入を受け付けることができ、１枚目のカードから読取った情報を２枚目のカードに書き込むこと、また２枚目のカードから読取った情報を１枚目のカードに書き込むことができるようになっている。
なお、挿入されたカードはカード排出口から排出して顧客に返却することができるようになっている。
【００１６】
また、本実施例では、ＩＣキャッシュカードは接触型ＩＣカードとして説明するが非接触型ＩＣカードのものであってもよい。
１３は入出金部であり、紙幣入出金機および硬貨入出金機で構成されたものである。この入出金部１３は現金引出し取引や現金入金取引に伴う紙幣や硬貨の入出金処理を行なう。ここで、入金処理とは顧客が紙幣入出金口に入れた紙幣を紙幣入出金機で計数して金庫に収納し、硬貨入出金口に入れた硬貨を硬貨入出金機で計数して金庫に収納することである。また、出金処理とは顧客の操作により指定した金額に相当する紙幣および硬貨をそれぞれ紙幣入出金機および硬貨入出金機の金庫から繰り出して計数し紙幣入出金口および硬貨入出金口に搬送して顧客に払い出すことである。
【００１７】
１４は明細票部であり、明細票印刷機構および明細票搬送機構等を備え、取引内容を印刷した明細票を顧客に発行するものである。
１５は記憶部であり、半導体メモリや磁気ディスク等で構成され情報を記憶し、記憶した情報を読取ることができるものである。この記憶部１５には自動取引装置１全体の動作を制御する制御プログラム（ソフトウェア）、顧客操作表示部１１に表示する画面データおよび顧客が行なう取引に必要な情報等を記憶する。
【００１８】
１６は制御部であり、ＣＰＵ等の演算および制御手段等で構成されたものである。この制御部１６は振込先情報確認手段を備え、カードリーダライタ部１２で振込カードやＩＣキャッシュカードに記録された振込先情報を読み取り、その振込先情報で特定される口座の存否の確認を依頼する電文を勘定系ホストコンピュータ２（上位装置）へ送信し、その確認の結果を勘定系ホストコンピュータ２（上位装置）から受信してその振込先情報が有効であることを確認する。
【００１９】
また、制御部１６は顧客操作表示部１１、カードリーダ部１２、入出金部１３、明細票部１４、記憶部１５、および図示しない通信部を含めて自動取引装置１全体の動作を記憶部１５に格納された制御プログラム（ソフトウェア）に基づいて制御する。
なお、通信部は通信回線３を介して接続された勘定系ホストコンピュータ２等と相互にする通信を制御する手段であって、任意の情報を送信および受信することができるものである。
上述した構成の作用について説明する。
【００２０】
なお、以下に説明する各部の動作は、図示しないメモリや磁気ディスク等の記憶手段に格納されたプログラム（ソフトウェア）に基づいて図示しない中央処理装置等の制御手段により制御される。
図２は実施例における振込カードおよびＩＣカード発行処理を示すフローチャートであり、図中Ｓで表すステップにしたがって説明する。
【００２１】
Ｓ１：自動取引装置１は図示しない近接センサにより顧客の接近を検知すると制御部１６の指示により顧客操作表示部１１は現金の引き出しや預け入れ、ＩＣカード取引等の取引を選択する取引選択画面を表示する。この取引選択画面は図３に示すように「いらっしゃいませ  ご希望のお取引を押してください」等の文言、および「お引き出し」、「残高照会」、「通帳記帳」、「お預け入れ」、「定期積立取引」、「お振り替え」、「ＩＣカード取引」、ならびに「お振り込み」等の取引選択ボタン等で構成されたものである。
【００２２】
Ｓ２：顧客はＩＣカード取引を選択することを示す「ＩＣカード取引」取引選択ボタンを押下するものとし、顧客操作表示部１１はその操作を受け付けるものとする。
Ｓ３：ＩＣカード取引を選択する操作を受け付けると制御部１６の指示により顧客操作表示部１１はＩＣキャッシュカードの挿入を誘導するＩＣキャッシュカード挿入誘導画面を表示する。このＩＣキャッシュカード挿入誘導画面は図４に示すように「ＩＣキャッシュカードを入れてください」の文言等で構成されたものである。
【００２３】
顧客はこのＩＣキャッシュカード挿入誘導画面にしたがってＩＣキャッシュカードをカード挿入口に挿入する。ＩＣキャッシュカードの挿入を受け付けたカードリーダライタ部１２は制御部１６の指示によりＩＣキャッシュカードのＩＣチップから口座情報を読取る。制御部１６は読取った口座情報を記憶部１５に記憶させる。
ここで、ＩＣキャッシュカードのＩＣチップには顧客の口座情報や登録された振込先情報が予め記録されているものとする。
【００２４】
Ｓ４：次に、制御部１６の指示により顧客操作表示部１１は暗証番号入力画面を表示する。この暗証番号入力画面は図５に示すように「暗証番号を入れてください」等の文言および「１」から「９」ならびに「０」の数字キー等で構成されたものである。
制御部１６の指示により顧客操作表示部１１は顧客の操作による暗証番号の入力を受け付ける。
【００２５】
暗証番号の入力を受け付けると制御部１６の指示により通信部はＩＣキャッシュカードから読取った口座情報および入力された暗証番号を含む本人認証を依頼する電文を勘定系ホストコンピュータ２へ送信する。
勘定系ホストコンピュータ２は、受信した口座情報に基づいて顧客データベースを検索し、その顧客データベースに記憶された暗証番号を抽出し、その暗証番号と受信した暗証番号を比較し、一致するか否かを判定する本人認証を行なう。本実施例では、暗証番号が一致するものとし、本人認証が正常に終了するものとする。
【００２６】
本人認証が終了すると制御部１６の指示により顧客操作表示部１１は取引選択画面を表示する。この取引選択画面は図６に示すように「ご希望のお取り引きを押してください」等の文言および振込み取引の履歴を表示させる「取引履歴表示」、ＩＣキャッシュカードに登録されている振込先情報を表示させる「登録情報照会」、ＩＣキャッシュカードに登録されている振込先情報を磁気ストライプに記録した振込カードを作成する「振込カード作成」、振込カードの磁気ストライプに記録された振込先情報を読み取り、ＩＣキャッシュカードに記録する「振込カード読込み」等の取引選択ボタンで構成されたものである。
【００２７】
Ｓ５：制御部１６の指示により顧客操作表示部１１は顧客の操作により取引選択ボタンの押下を受け付け、「振込カード作成」の取引選択ボタンが押下されたことを検知すると処理をＳ６へ移行し、それ以外の取引選択ボタンが押下されたことを検知すると処理をＳ１１へ移行する。
Ｓ６：「振込カード作成」の取引選択ボタンが押下されたことを検知すると制御部１６の指示によりカードリーダライタ部１２はＩＣキャッシュカードのＩＣチップから振込先情報を読み取り、顧客操作表示部１１はその振込先情報で構成された振込先選択画面を表示する。
【００２８】
この振込先選択画面は図７に示すように「振込カードを作成したい振込先を選択してください」等の文言および「Ａ銀行  本店  普通  １２３４５６７」、「Ｂ銀行  本店  普通  ２２２２２２２」、「Ｃ銀行  本店  普通  ９９９９９９９」等の振込先情報を示すとともにその振込先を選択する操作を受け付ける振込先選択ボタンで構成されたものである。
【００２９】
なお、本実施例ではＩＣキャッシュカードのＩＣチップから読取った振込先情報を表示するようにしたが、ＩＣキャッシュカードのＩＣチップに振込取引の履歴情報を記録するようにしておき、その履歴情報に記録されている振込先選択ボタンを表示するようにしてもよい。
顧客の操作によりいずれかの振込先選択ボタンが押下され、顧客操作表示部１１はその押下を検知する。
【００３０】
Ｓ７：振込先選択ボタンの押下を検知すると制御部１６の振込先情報確認手段の指示により通信部は押下された振込先選択ボタンに対応付けられた振込先情報、例えば「Ａ銀行  本店  普通  １２３４５６７」の振込先選択ボタンが押下された場合、金融機関：Ａ銀行、支店：本店、口座番号：普通１２３４５６７等の振込先情報とともにその振込先情報が有効であるか、すなわちその振込先口座の存否を問い合わせる振込先照会電文を勘定系ホストコンピュータ２へ送信する。
【００３１】
振込先照会電文を送信すると制御部１６の指示により顧客操作表示部１１は図８に示すように「しばらくお待ちください  通信中」等の文言で構成された通信中画面を表示する。
一方、振込先照会電文を受信した勘定系ホストコンピュータ２は顧客データベースを検索し、受信した振込先情報で示される口座の存否を確認する。
【００３２】
ここで、勘定系ホストコンピュータ２は受信した振込先情報で示される口座は自金融機関であるか他金融機関であるかを判定する。自金融機関であると判定されると勘定系ホストコンピュータ２は顧客データベースを検索し、受信した振込先情報で示される口座の存否を確認し、他金融機関であると判定されると勘定系ホストコンピュータ２は振込先情報を含む振込先照会電文を他金融機関の勘定系ホストコンピュータへ送信して振込先情報が有効であるかを照会するものとする。なお、他金融機関の勘定系ホストコンピュータも顧客データベースを検索し、受信した振込先情報で示される口座の存否を確認するものとする。
【００３３】
また、自動取引装置１から勘定系ホストコンピュータ２へ送信される振込先照会電文に含まれる振込先情報は１件であっても複数件であってもよいものとする。振込先照会電文に自金融機関および他金融機関の振込先情報が含まれる場合、自金融機関の振込先情報は自金融機関の勘定系ホストコンピュータ２が、他金融機関の振込先情報は他金融機関の勘定系ホストコンピュータが、受信した振込先情報で示される口座の存否を確認し、その結果をまとめて自動取引装置１へ送信するものとする。
【００３４】
勘定系ホストコンピュータ２は口座が存在することを確認すると振込先情報が有効である旨、口座が存在しないことを確認すると振込先情報が無効である旨の電文を自動取引装置１へ送信する。
Ｓ８：自動取引装置１の制御部１６は振込先情報が無効である旨の電文を受信すると振込カードを発行することなく処理をＳ１０へ移行し、有効である旨の電文を受信すると処理をＳ９へ移行して振込カードを発行する。
【００３５】
Ｓ９：振込先情報が有効である旨の電文を受信すると制御部１６の指示によりカードリーダライタ部１２はその振込先情報を記録した振込カードを顧客に発行する。このとき制御部１６の指示により顧客操作表示部１１は図９に示す「振込カードを作成しました  お受け取りください」等の文言で構成された振込カード受取り誘導画面を表示する。
顧客はその誘導にしたがって、Ｓ６で選択した振込先情報が記録された振込カードを受取る。
【００３６】
Ｓ１０：次に、制御部１６の指示によりカードリーダライタ部１２はＩＣキャッシュカードを顧客に返却する。このとき制御部１６の指示により顧客操作表示部１１は図１０に示す「ＩＣキャッシュカードをお受け取りください」等の文言で構成されたＩＣキャッシュカード受取り誘導画面を表示する。顧客はその誘導にしたがってＩＣキャッシュカードを受取り、振込カード作成の取引を終了する。
【００３７】
Ｓ１１：一方、Ｓ５において「振込カード読込み」の取引選択ボタンが押下されたことを検知すると処理をＳ１２へ移行し、それ以外の取引選択ボタンが押下されたことを検知すると押下された取引を処理するステップへ移行する。
Ｓ１２：「振込カード読込み」の取引選択ボタンが押下されたことを検知すると制御部１６の指示により顧客操作表示部１１は図１１に示すように「振込カードを入れてください」等の文言で構成された振込カード挿入誘導画面を表示する。
【００３８】
顧客はその誘導にしたがって振込先情報が記録された振込カードをカード挿入口に挿入する。制御部１６の指示によりカードリーダライタ部１２は挿入された振込カードに記録された振込先情報を読取る。
Ｓ１３：振込先情報を振込カードから読取ると制御部１６の振込先情報確認手段の指示により通信部はその振込先情報、例えば金融機関：Ａ銀行、支店：本店、口座番号：普通１２３４５６７等の振込先情報とともにその振込先情報が有効であるか、すなわちその振込先口座の存否を問い合わせる振込先照会電文を勘定系ホストコンピュータ２へ送信する。
【００３９】
振込先照会電文を送信すると制御部１６の指示により顧客操作表示部１１は図８に示すように「しばらくお待ちください  通信中」等の文言で構成された通信中画面を表示する。
一方、振込先照会電文を受信した勘定系ホストコンピュータ２は顧客データベースを検索し、受信した振込先情報で示される口座の存否を確認する。
【００４０】
ここで、勘定系ホストコンピュータ２は受信した振込先情報で示される口座は自金融機関であるか他金融機関であるかを判定する。自金融機関であると判定されると勘定系ホストコンピュータ２は顧客データベースを検索し、受信した振込先情報で示される口座の存否を確認し、他金融機関であると判定されると勘定系ホストコンピュータ２は振込先情報を含む振込先照会電文を他金融機関の勘定系ホストコンピュータへ送信して振込先情報が有効であるかを照会するものとする。なお、他金融機関の勘定系ホストコンピュータも顧客データベースを検索し、受信した振込先情報で示される口座の存否を確認するものとする。
【００４１】
また、自動取引装置１から勘定系ホストコンピュータ２へ送信される振込先照会電文に含まれる振込先情報は１件であっても複数件であってもよいものとする。振込先照会電文に自金融機関および他金融機関の振込先情報が含まれる場合、自金融機関の振込先情報は自金融機関の勘定系ホストコンピュータ２が、他金融機関の振込先情報は他金融機関の勘定系ホストコンピュータが、受信した振込先情報で示される口座の存否を確認し、その結果をまとめて自動取引装置１へ送信するものとする。
【００４２】
勘定系ホストコンピュータ２は口座が存在することを確認すると振込先情報が有効である旨、口座が存在しないことを確認すると振込先情報が無効である旨の電文を自動取引装置１へ送信する。
Ｓ１４：自動取引装置１の制御部１６は振込先情報が無効である旨の電文を受信するとＩＣキャッシュカードに振込先情報を記録することなく処理をＳ１６へ移行し、有効である旨の電文を受信すると処理をＳ１５へ移行してＩＣキャッシュカードに振込先情報を記録する。
【００４３】
Ｓ１５：振込先情報が有効である旨の電文を受信すると制御部１６の指示によりカードリーダライタ部１２はその振込先情報をＩＣキャッシュカードのＩＣチップに記録する。このとき制御部１６の指示により顧客操作表示部１１は図１２に示す「振込カード情報をＩＣキャッシュカードに記録しました  振込カードをお受け取りください」等の文言で構成された振込カード受取り誘導画面を表示する。
【００４４】
顧客はその誘導にしたがって、挿入した振込カードを受取る。
Ｓ１６：次に、制御部１６の指示によりカードリーダライタ部１２はＩＣキャッシュカードを顧客に返却する。このとき制御部１６の指示により顧客操作表示部１１は図１０に示す「ＩＣキャッシュカードをお受け取りください」等の文言で構成されたＩＣキャッシュカード受取り誘導画面を表示する。顧客はその誘導にしたがってＩＣキャッシュカードを受取り、振込カード読取りの取引を終了する。
【００４５】
なお、勘定系ホストコンピュータ２から振込先情報が無効である旨の電文を受信すると自動取引装置１の制御部１６の指示によりカードリーダライタ部１２はＩＣキャッシュカードに振込先情報を記録することなく振込カードおよびＩＣキャッシュカードを顧客に返却して振込カード読取りの取引を終了するものとする。
以上説明したように、本実施例では、振込カードの磁気ストライプに記録された振込先情報を読み取りＩＣカードのＩＣチップに記録する場合、またはＩＣカードのＩＣチップに記録された振込先情報を読み取り振込カードの磁気ストライプに記録する場合、その振込先情報で特定される口座の存否を確認するようにしたため、その口座が存在する振込先情報だけをＩＣカードや振込カードに記録させることができ、顧客の利便性を向上させることができるという効果が得られる。
【００４６】
なお、上記の実施例において、振込先情報が無効であった場合には無効な振込先を一覧で表示あるいは明細票に印刷するようにすれば、顧客は記録されなかった振込先を知ることができ、より利便性が向上する。
また、振込カードの磁気ストライプとＩＣカードのＩＣチップとの間で振込先情報を相互に複写できるようにすることにより、振込カードとＩＣカードを併用することができ、顧客はＩＣカードを取扱うことができない自動取引装置では振込カードを使用し、またＩＣカードを取扱うことができる自動取引装置では１枚のＩＣカードを使用して操作が簡便な振込取引を行うことができるという効果が得られる。
【図面の簡単な説明】
【００４７】
【図１】実施例における自動取引装置の構成を示すブロック図
【図２】実施例における振込カードおよびＩＣカード発行処理を示すフローチャート
【図３】実施例における取引選択画面の説明図
【図４】実施例におけるＩＣキャッシュカード挿入誘導画面の説明図
【図５】実施例における暗証番号入力画面の説明図
【図６】実施例における取引選択画面の説明図
【図７】実施例における振込先選択画面の説明図
【図８】実施例における通信中画面の説明図
【図９】実施例における振込カード受取り誘導画面の説明図
【図１０】実施例におけるＩＣキャッシュカード受取り誘導画面の説明図
【図１１】実施例における振込カード挿入誘導画面の説明図
【図１２】実施例における振込カード受取り誘導画面の説明図
【符号の説明】
【００４８】
１    自動取引装置
２    勘定系ホストコンピュータ
３    通信回線
１１  顧客操作表示部
１２  カードリーダライタ部
１３  入出金部
１４  明細票部
１５  記憶部
１６  制御部
【図１】
2008052485.tif 000003
【図２】
2008052485.tif 000004
【図３】
2008052485.tif 000005
【図４】
2008052485.tif 000006
【図５】
2008052485.tif 000007
【図６】
2008052485.tif 000008
【図７】
2008052485.tif 000009
【図８】
2008052485.tif 000010
【図９】
2008052485.tif 000011
【図１０】
2008052485.tif 000012
【図１１】
2008052485.tif 000013
【図１２】
2008052485.tif 000014